(57)【特許請求の範囲】
【請求項１】
ホットフォルダに格納されたファイルを処理する情報処理装置であって、
前記ホットフォルダに格納された前記ファイルにファイルロックがかかっているか否か判断する判断手段と、
前記ホットフォルダに格納された前記ファイルを処理する処理手段と、
前記ホットフォルダに格納された前記ファイルを予め定められた時間、処理しないように前記処理手段を制御する制御手段と、を備え、
前記制御手段は、前記判断手段が前記ホットフォルダに格納された前記ファイルにファイルロックがかかっていないと判断した場合、前記予め定められた時間、前記処理手段により処理されなかった前記ファイルを処理するように前記処理手段を制御することを特徴とする情報処理装置。
【請求項２】
前記制御手段は、前記予め定められた時間の経過後、前記ホットフォルダに関連付けられた設定に基づき前記ファイルを処理するように前記処理手段を制御することを特徴とする請求項１に記載の情報処理装置。
【請求項３】
前記ホットフォルダに格納された前記ファイルを検出する検出手段と、
前記検出手段が前記ファイルを検出すると、前記ファイルのサイズを取得する取得手段と、を更に備え、
前記制御手段は、前記取得手段が取得した前記サイズが所定の条件を満たさない場合、前記予め定められた時間、前記ホットフォルダに関連付けられた設定に基づき前記検出手段により検出された前記ファイルを処理しないように前記処理手段を制御することを特徴とする請求項１又は２に記載の情報処理装置。
【請求項４】
前記予め定められた時間の経過前のファイルサイズと、前記予め定められた時間の経過後のファイルサイズとを比較する比較手段、をさらに備え、
前記制御手段は、前記比較手段による比較の結果、前記予め定められた時間の経過前のファイルサイズよりも前記予め定められた時間の経過後のファイルサイズの方が大きい場合、さらに前記予め定められた時間、前記ホットフォルダに格納された前記ファイルを処理しないように前記処理手段を制御し、
前記予め定められた時間の経過前のファイルサイズと前記予め定められた時間の経過後のファイルサイズとが同じである場合、当該予め定められた時間の経過後の前記ファイルを処理するように前記処理手段を制御する、ことを特徴とする請求項３に記載の情報処理装置。
【請求項５】
前記処理とは印刷処理であることを特徴とする請求項１乃至４のいずれか１項に記載の情報処理装置。
【請求項６】
ホットフォルダに格納されたファイルを処理する情報処理装置において実行される情報処理方法であって、
前記情報処理装置の判断手段が、前記ホットフォルダに格納された前記ファイルにファイルロックがかかっているか否か判断する判断工程と、
前記情報処理装置の処理手段が、前記ホットフォルダに格納された前記ファイルを処理する処理工程と、
前記情報処理装置の制御手段が、前記ホットフォルダに格納された前記ファイルを予め定められた時間、処理しないように前記処理手段を制御する制御工程と、を有し、
前記制御工程では、前記判断工程で前記ホットフォルダに格納された前記ファイルにファイルロックがかかっていないと判断した場合、前記予め定められた時間、前記処理手段で処理されなかった前記ファイルを処理するように前記処理手段を制御することを特徴とする情報処理方法。
【請求項７】
ホットフォルダに格納されたファイルを処理するために、
前記ホットフォルダに格納された前記ファイルにファイルロックがかかっているか否か判断する判断手段、
前記ホットフォルダに格納された前記ファイルを処理する処理手段、
前記ホットフォルダに格納された前記ファイルを予め定められた時間、処理しないように前記処理手段を制御する制御手段、としてコンピュータを機能させ、
前記制御手段は、前記判断手段が前記ホットフォルダに格納された前記ファイルにファイルロックがかかっていないと判断した場合、前記予め定められた時間、前記処理手段により処理されなかった前記ファイルを処理するように前記処理手段を制御することを特徴とするプログラム。
【請求項８】
前記制御手段は、前記予め定められた時間の経過後、前記ホットフォルダに関連付けられた設定に基づき前記ファイルを処理するように前記処理手段を制御することを特徴とする請求項７に記載のプログラム。
【請求項９】
前記ホットフォルダに格納された前記ファイルを検出する検出手段、
前記検出手段が前記ファイルを検出すると、前記ファイルのサイズを取得する取得手段、としてコンピュータを更に機能させ、
前記制御手段は、前記取得手段が取得した前記サイズが所定の条件を満たさない場合、前記予め定められた時間、前記ホットフォルダに関連付けられた設定に基づき前記検出手段により検出された前記ファイルを処理しないように前記処理手段を制御することを特徴とする請求項７又は８に記載のプログラム。
【請求項１０】
前記予め定められた時間の経過前のファイルサイズと、前記予め定められた時間の経過後のファイルサイズとを比較する比較手段、としてコンピュータを更に機能させ、
前記制御手段は、前記比較手段による比較の結果、前記予め定められた時間の経過前のファイルサイズよりも前記予め定められた時間の経過後のファイルサイズの方が大きい場合、さらに前記予め定められた時間、前記ホットフォルダに格納された前記ファイルを処理しないように前記処理手段を制御し、
前記予め定められた時間の経過前のファイルサイズと前記予め定められた時間の経過後のファイルサイズとが同じである場合、当該予め定められた時間の経過後の前記ファイルを処理するように前記処理手段を制御する、ことを特徴とする請求項９に記載のプログラム。
【請求項１１】
前記処理とは印刷処理であることを特徴とする請求項７乃至１０のいずれか１項に記載のプログラム。
【発明の詳細な説明】
【技術分野】
【０００１】
本発明は、ホットフォルダを処理する情報処理装置、情報処理方法およびプログラムに関する。
【背景技術】
【０００２】
ユーザがより簡易に印刷を行うために、印刷設定を記述することなく印刷を行うためのホットフォルダが知られている。ホットフォルダとして設定されたフォルダに、印刷したいジョブデータをコピーし（印刷ジョブ投入）、印刷処理する技術である。ホットフォルダを用いるアプリケーションやＧＵＩ操作を行うオペレータ等は、印刷処理実行のトリガとしてホットフォルダにジョブデータをコピーする。
【０００３】
特許文献１では、ホットフォルダにおいて投入されたジョブデータを検出する方法が記載されている。特許文献１によると、フォルダ名が変更されたイベントデータに基づいてジョブデータ投入を判断して、印刷制御装置にジョブデータを送信する。このことにより、定期的なホットフォルダ内のポーリングの必要性をなくすことができると記載されている。
【先行技術文献】
【特許文献】
【０００４】
【特許文献１】特開２００６−２２２６６１号公報
【発明の概要】
【発明が解決しようとする課題】
【０００５】
ここで、異なるＯＳ間において、ホットフォルダへのジョブ投入が行われる場合もある。異なるＯＳ間でのジョブ投入（コピー等によるファイルの格納）が行われると、ファイルロックの開始タイミングの遅れが発生する。ここで、ファイルロックとは、コピー中のファイルにＯＳが施すアクセス制御である。
【０００６】
通常、ファイルがドラッグ・アンド・ドロップ等によりホットフォルダにコピーされた場合には、コピー開始直後からコピー完了までロック状態とされる。ホットフォルダプログラムは、対象とするファイルがロック状態でないことを確認してから、そのファイルを印刷装置に出力するなどの処理を行う。
【０００７】
しかしながら、異なるＯＳ間においてホットフォルダにファイルをコピーすると、そのファイルロックが開始されるタイミングが遅れる場合がある。その結果、ファイルロックが開始されるまでは、ホットフォルダプログラムからは、そのファイルがロック状態でないと認識されてしまう。従って、ホットフォルダプログラムは、そのファイルがコピー中であるにも関わらず、印刷装置への出力等の処理を開始してしまい、不適切な処理結果を引き起こしてしまう。
【０００８】
本発明の目的は、このような従来の問題点を解決することにある。そこで、上記の点に鑑み、本発明は、異なるＯＳ間においてホットフォルダにファイルを格納した場合においても、そのファイルに対して適切な処理を行う情報処理装置、情報処理方法およびプログラムを提供することを目的とする。
【課題を解決するための手段】
【０００９】
上記課題を解決するため、本発明に係る情報処理装置は、ホットフォルダに格納されたファイルを処理する情報処理装置であって、前記ホットフォルダに格納された前記ファイルにファイルロックがかかっているか否か判断する判断手段と、前記ホットフォルダに格納された前記ファイルを処理する処理手段と、前記ホットフォルダに格納された前記ファイルを予め定められた時間、処理しないように前記処理手段を制御する制御手段と、を備え、前記制御手段は、前記判断手段が前記ホットフォルダに格納された前記ファイルにファイルロックがかかっていないと判断した場合、前記予め定められた時間、前記処理手段により処理されなかった前記ファイルを処理するように前記処理手段を制御することを特徴とする。
【発明の効果】
【００１０】
本発明によると、異なるＯＳ間においてホットフォルダにファイルを格納した場合においても、そのファイルに対して適切な処理を行うことができる。
【図面の簡単な説明】
【００１１】
【図１】情報処理システムの全体の構成を示す図である。
【図２】ホットフォルダを管理する情報処理装置のハードウェア構成を示す図である。
【図３】ホットフォルダを管理する情報処理装置のブロック構成を示す図である。
【図４】ホットフォルダプログラムの構成を示す図である。
【図５】実施例１におけるホットフォルダのジョブ監視処理の手順を示す図である。
【図６】待機時間の設定の一例を示す図である。
【図７】実施例２におけるホットフォルダのジョブ監視処理の手順を示す図である。
【発明を実施するための形態】
【００１２】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１３】
［実施例１］
図１は、本発明に係る実施例における情報処理システムの全体の構成を示す図である。図１の情報処理装置１０１は、例えばＰＣでも専用端末でも良いが、本実施例ではＰＣを用いる。本実施例において、情報処理装置１０１に各ユーザに共有されているホットフォルダが作成されているものとして説明するが、大容量外部記憶装置などにホットフォルダが作成されても良い。印刷装置１０２（以下、プリンタともいう）は、情報処理装置１０１に接続されている。本実施例では、印刷装置１０２は、情報処理装置１０１に直接接続されているが、後述のネットワーク１１０を介して接続されていても良い。印刷装置１０２は、例えばレーザープリンタ、インクジェットプリンタ、サーマルプリンタ等である。印刷装置１０２は、ホットフォルダに投入されたデータを印刷する。情報処理装置１０３は、情報処理装置１０１のホットフォルダに印刷データを投入するためのＰＣである。情報処理装置１０３は、ネットワーク１１０を介して各ユーザに共有されている情報処理装置１０１のホットフォルダを参照可能である。ユーザは、情報処理装置１０３から情報処理装置１０１のホットフォルダにデータを格納するだけで、印刷装置１０２に対して印刷することができる。ネットワーク１１０は、有線及び無線のＬＡＮ等で構成されても良い。
【００１４】
図２は、ホットフォルダを管理する情報処理装置１０１のハードウェア構成を示す図である。マウス２０２、キーボード２０３、ディスプレイ２０４はそれぞれ本体２０１に備わっている各機器に対応する入出力端子に接続されている。また、本実施例では、情報処理装置１０３も、情報処理装置１０１と同様の構成を有している。
【００１５】
図３は、ホットフォルダを管理する情報処理装置１０１のブロック構成を示す図である。ホットフォルダによる印刷機能は、コンピュータ上でホットフォルダプログラムによって実行される。具体的には、ＣＰＵ３０１、ＲＯＭ３０２、ＲＡＭ３０３、外部記憶装置３０４、ネットワークＩ／Ｆ３０５、入出力機器Ｉ／Ｆ３０６、ディスプレイＩ／Ｆ３０７、システムバス３０８、ディスプレイ２０４、キーボード２０３、マウス２０２を有している。
【００１６】
ＣＰＵ３０１は、情報処理装置１０１全体を制御する。ＲＯＭ３０２は、読出し専用メモリである。ＲＯＭ３０２には、ユーザが電気的にプログラムを書き込むことができるＰＲＯＭと製造するときに内容が書き込まれるマスクＲＯＭとがあるが、本実施例においては何れのＲＯＭであっても良い。ＲＡＭ３０３は、自由に書き込み／読出しができるメモリである。ＲＡＭ３０３は、本実施例おける処理を行う際に、一時的にデータを格納する役割を果たす。外部記憶装置３０４は、不揮発性の記憶装置である。外部記憶装置３０４には、例えば、ＨＤドライブ、ＦＤドライブ、ＭＯドライブ、ＣＤ−ＲＷドライブ、ＤＶＤ−ＲＷドライブ等がある。外部記憶装置３０４は、ホットフォルダプログラムが格納されるとともに、ホットフォルダプログラムの動作に必要なデータが格納されている。
【００１７】
ネットワークＩ／Ｆ３０５は、イントラネットなどのネットワークに接続するための通信制御を処理するが、ユーザの環境に応じて様々な通信インタフェースが適用されて良い。例えば、無線ＬＡＮやイーサーネットインタフェースで構成されても良い。
【００１８】
入出力機器Ｉ/Ｆ３０６は、情報処理装置１０１が有するキーボード２０３、マウス２０２、印刷装置１０２からの入出力を処理するものであり、情報処理装置１０１の操作及びデータ入出力の際に用いられる。ディスプレイＩ/Ｆ３０７は、ディスプレイ２０４との入出力を処理する。ディスプレイ２０４は、例えばＣＲＴ、液晶ディスプレイ、プラズマディスプレイ、リアプロジェクションテレビまたはフロントプロジェクタおよびその制御回路を用いて構成されても良い。情報処理装置１０１内の各ブロック間の各種データの通信及び電力の供給は、システムバス３０８を介して行われる。システムバス３０８は、アドレス線、データ線、制御線、電源・グラウンド線等を含む。
【００１９】
図４は、情報処理装置１０１のホットフォルダプログラムの構成を示す図である。ホットフォルダプログラムは、ホットフォルダ監視部４０１、ホットフォルダＵＩ４０２、ホットフォルダ制御部４０３を含む。フォルダ監視部４０１は、ホットフォルダのフォルダ監視を行い、ジョブデータを検出する。ホットフォルダＵＩ４０２は、ホットフォルダについてディスプレイに表示される情報を制御する。ホットフォルダ制御部４０３は、ホットフォルダを制御する。
【００２０】
ホットフォルダ監視部４０１は、フレキシブルタイプ・ホットフォルダ監視部４０４、フィックスタイプ・ホットフォルダ監視部４０５、ホットフォルダ監視Ｉ／Ｆ４０６を含む。フレキシブルタイプ・ホットフォルダ監視部４０４は、印刷ごとに設定変更可能なフォルダの監視を行う。フィックスタイプ・ホットフォルダ監視部４０５は、印刷ごとに設定の変更を行わないフォルダの監視を行う。ホットフォルダ監視Ｉ／Ｆ４０６は、新たな印刷要求が発生した場合に、ホットフォルダ監視Ｉ／Ｆ４０６を介してホットフォルダ制御部４０３に対して印刷要求を行う。
【００２１】
ホットフォルダＵＩ４０２は、ジョブ管理ＵＩ４０７、プリンタ管理ＵＩ４０８、ホットフォルダ管理ＵＩ４０９、ジョブチケット管理ＵＩ４１０、イベント履歴管理ＵＩ４１１、コンフィグ管理ＵＩ４１２、ホットフォルダＵＩＩ／Ｆ４１３を含む。ジョブ管理ＵＩ４０７は、印刷ジョブを管理するために用いられるＵＩ表示部である。プリンタ管理ＵＩ４０８は、ホットフォルダに管理されている印刷装置１０２に関する情報を表示する。ホットフォルダ管理ＵＩ４０９は、管理しているホットフォルダに関する情報を表示する。ジョブチケット管理ＵＩ４１０は、印刷装置１０２に渡されるジョブチケットと呼ばれる印刷データおよび設定情報に関する表示を行う。イベント履歴管理ＵＩ４１１は、印刷装置１０２から送信される印刷終了や紙無しなどの各種イベント情報の履歴を表示する。コンフィグ管理ＵＩ４１２は、ホットフォルダプログラムの設定情報の表示部である。ホットフォルダＵＩＩ／Ｆ４１３は、ホットフォルダ制御部４０３とのインタフェースの役割を果たす。
【００２２】
ホットフォルダ制御部４０３は、ホットフォルダ制御Ｉ／Ｆ４１４、ジョブ管理部４１５、プリンタ管理部４１６、ホットフォルダ管理部４１７を含む。ホットフォルダ制御部４０３はまた、ジョブチケット管理部４１８、イベント履歴管理部４１９、コンフィグ管理部４２０、デバイス制御Ｉ／Ｆ４２１を含む。ホットフォルダ制御Ｉ／Ｆ４１４は、ホットフォルダ監視Ｉ／Ｆ４０６及びホットフォルダＵＩＩ／Ｆ４１３と接続されている。ジョブ管理部４１５は、印刷ジョブを管理する。プリンタ管理部４１６は、ホットフォルダで管理しているプリンタを管理する。ホットフォルダ管理部４１７は、ホットフォルダ情報を管理する。ジョブチケット管理部４１８は、ジョブチケットを管理する。イベント履歴管理部４１９は、印刷装置１０２から送信される印刷終了や紙無しなどの各種イベント情報の履歴を管理する。コンフィグ管理部４２０は、ホットフォルダプログラムの設定情報を管理する。デバイス制御Ｉ／Ｆ４２１は、印刷装置１０２とのインタフェースの役割を果たす。
【００２３】
［ホットフォルダ］
以下、本実施例の情報処理装置１０１においてホットフォルダを処理する方法について説明する。ホットフォルダは、フレキシブルタイプ・ホットフォルダとフィックスタイプ・ホットフォルダが存在する。フレキシブルタイプ・ホットフォルダは、ジョブデータとして印刷対象データ（以下、コンテンツともいう）と印刷設定ファイル（以下、ジョブチケットともいう）をホットフォルダにコピーすることによりジョブ投入とするものである。一方、フィックスタイプ・ホットフォルダは、ジョブチケットを予めホットフォルダに関連付けておくことにより、コンテンツの投入のみを以てジョブ投入とするものである。以下では、特に断りのない限りフィックスタイプ・ホットフォルダを説明するが、フレキシブルタイプ・ホットフォルダにおいても同様に適用することができる。
【００２４】
［ホットフォルダ作成］
情報処理装置１０１においてホットフォルダを利用するには、まず、ホットフォルダの作成を行う必要がある。ホットフォルダの作成は、図４に示すホットフォルダ管理部４１７において行われる。ユーザ操作によりディスプレイ２０４上に表示されるホットフォルダ管理ＵＩ４０９で外部記憶装置３０４に存在するフォルダを指定することにより、外部記憶装置３０４にホットフォルダを作成する。なお、ホットフォルダの作成場所は、ホットフォルダプログラムが動作する情報処理装置１０１内の外部記憶装置３０４でなくても良い。例えば、ネットワーク１１０を介して接続される他のＰＣ等の共有フォルダをホットフォルダとしても良い。
【００２５】
［ジョブチケットの関連付け］
上述のホットフォルダ作成の際に、ジョブチケットを指定することによって対象となるホットフォルダにジョブチケットを関連付けるフィックスタイプ・ホットフォルダとすることができる。なお、ここでジョブチケットを指定しなかった場合には、フレキシブルタイプ・ホットフォルダとして扱われる。
【００２６】
［ホットフォルダ情報の保存］
ホットフォルダが作成されると、ホットフォルダ管理ＵＩで指定された情報がホットフォルダ管理部４１７で管理され、そのホットフォルダのフォルダパス、ジョブチケット、対象プリンタ等が外部記憶装置３０４に保存される。
【００２７】
［ジョブ投入］
ユーザは、作成したホットフォルダにジョブデータを投入することができる。ここで、ジョブデータとは、コンテンツとジョブチケットのことを指す。ジョブデータ投入の方法には幾つかが考えられる。例えば、マウス２０２を操作するユーザが、ディスプレイ２０４に表示されるＧＵＩ上のホットフォルダにコンテンツのファイルをドラック・アンド・ドロップする。または、上位のアプリケーションが、ホットフォルダにコンテンツであるファイルのコピー処理を行っても良い。
【００２８】
［ホットフォルダ監視方法］
ホットフォルダ監視部４０１は、ホットフォルダにジョブデータが投入されたか否かを監視している。図５は、本実施例におけるホットフォルダのジョブ監視処理の手順を示すフローチャートである。図５に示す処理は、例えば、情報処理装置１０１のＣＰＵ３０１により実行される。
【００２９】
Ｓ５０１において、ホットフォルダ監視部４０１は、ホットフォルダに対してポーリングを行う。ここで、ホットフォルダプログラムは、対象のホットフォルダ内にファイルロックがかかっていないファイルを検出すると、投入されたジョブデータが存在すると判定する。一方、ファイルが存在しない場合や、ファイルが存在するがファイルロックがかかっている（ロック状態である）場合には、投入されたジョブデータが存在しないと判定する。
【００３０】
ここで、ジョブデータが存在すると判定された場合、ジョブデータはコピー完了後の状態か、又は、コピー開始直後でありファイルロックがかかっていない状態であるかのいずれかが考えられる。いずれの状態であっても、ホットフォルダについての正しい処理を行うためにホットフォルダ監視部４０１は、Ｓ５０２において所定時間待機する。所定時間の経過後、Ｓ５０３においてホットフォルダ監視部４０１は、ジョブデータの取得を行う。
【００３１】
［待機時間設定方法］
Ｓ５０２で待機する所定時間は、図１に示す環境に応じて設定するようにしても良い。例えば、図６に示すように、ホットフォルダ監視部４０１の動作設定を記述しておく設定ファイル６０１を情報処理装置１０１の記憶領域に格納しておき、そのファイル６０１に待機時間を記述しておくことで、待機する所定時間を変更可能としても良い。このとき、ホットフォルダ監視部４０１は、図５に示す処理を実行する際に、設定ファイル６０１を読み込み、そこから取得した待機時間に合わせて待機する。
【００３２】
［ジョブデータ送信］
ホットフォルダ監視部４０１は、Ｓ５０３において取得したジョブデータを、ホットフォルダ制御部４０３に渡す。ホットフォルダ制御部４０３は、そのジョブデータをデバイス制御Ｉ／Ｆ４２１を介して印刷装置１０２に渡して印刷を指示する（印刷処理）。
【００３３】
以上のように、本実施例においては、異なるＯＳ間においてホットフォルダへのファイルコピー中のジョブデータを、ファイルコピー完了後のジョブデータと誤認することなく適切に処理することができる。
【００３４】
［実施例２］
実施例１において、ジョブデータのファイルコピーが終了しているか否かを判定する処理は、ファイル検出（ジョブデータ検出）後、所定時間経過した後で再度ファイル検出を行うものである。本実施例においては、ファイルロック開始の遅れが所定時間より長かった場合を考慮し、ジョブデータのファイルサイズに基づいて、ジョブデータのファイルコピーの終了を判定する。
【００３５】
図７は、本実施例におけるホットフォルダのジョブ監視処理の手順を示す図である。図７に示す処理は、例えば、情報処理装置１０１のＣＰＵ３０１により実行される。Ｓ７０１において、ホットフォルダに対してポーリングを行い、ジョブデータが存在していると判定された場合には、Ｓ７０２において、そのファイルサイズ（第１のサイズを取得する第１の取得の一例）を記憶する。Ｓ７０３において、Ｓ５０２と同様に所定時間待機し、Ｓ７０４において、再びジョブデータを取得してファイルサイズを取得する（第２のサイズを取得する第２の取得の一例）。ここで、Ｓ７０４において取得したファイルサイズとＳ７０２において記憶されたファイルサイズとを比較する。その比較の結果、Ｓ７０５において、Ｓ７０４において取得したファイルサイズがＳ７０２において記憶されたファイルサイズより増加しているか否かを判定する。ここで、増加していると判定された場合には、コピー中であると判定し、Ｓ７０３に戻り、さらに所定時間待機する。一方、増えていないと判定された場合には、コピー完了状態と判定する。
【００３６】
図５で説明した処理と図７で説明した処理とは、情報処理装置１０１の設定により切り替えられるようにしても良い。
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005767472.tif 000002
【図２】
0005767472.tif 000003
【図３】
0005767472.tif 000004
【図４】
0005767472.tif 000005
【図５】
0005767472.tif 000006
【図６】
0005767472.tif 000007
【図７】
0005767472.tif 000008